(57)【特許請求の範囲】
【請求項１】
第一ネットワークに接続される第一装置が送信する第一パケットを受信するのに用いられる第一ネットワークインターフェースと、
第二ネットワークの第二装置とデータ伝送を行うのに用いられる第二ネットワークインターフェースと、
前記第一パケットの宛先ＩＰアドレスフィールドがブリッジのＩＰアドレスであるか否か判断するのに用いられるアドレス判断ユニットと、前記第一パケットの宛先ＩＰアドレスフィールドが前記ブリッジのＩＰアドレスであるとき、前記第一パケットのソースＩＰアドレスフィールドを前記第一装置のＩＰアドレスから仮想ＩＰアドレスに置換するのに用いられるアドレス置換ユニットと、を含むＩＰアドレス制御ユニットと、
前記ＩＰアドレス制御ユニットから置換した前記第一パケットを受信して、置換した前記第一パケットを処理するのに用いられるアプリケーションユニットと、
を含むブリッジ。
【請求項２】
前記仮想ＩＰアドレスと前記ブリッジのＩＰアドレスは、同じネットワークセグメントに属する、
請求項１に記載のブリッジ。
【請求項３】
前記アプリケーションユニットは、第二パケットを返送し、前記アドレス置換ユニットが前記第二パケットを受信するとき、前記アドレス置換ユニットは、前記第二パケットの宛先ＩＰアドレスフィールドを前記仮想ＩＰアドレスから前記第一装置のＩＰアドレスに置換する、
請求項１に記載のブリッジ。
【請求項４】
前記ＩＰアドレス制御ユニットは、更に、前記第一パケットのソースＩＰアドレスフィールドが前記第一装置のＩＰアドレスであると記録するのに用いられる、
請求項１に記載のブリッジ。
【請求項５】
前記アドレス判断ユニットが、前記第一パケットの宛先ＩＰアドレスフィールドが前記ブリッジのＩＰアドレスであると判断するとき、前記アドレス置換ユニットは、前記第一パケットの宛先ＭＡＣアドレスフィールドを前記ブリッジのＭＡＣアドレスに設定する、
請求項１に記載のブリッジ。
【請求項６】
前記ＩＰアドレス制御ユニットは、前記第一パケットのＭＡＣアドレスフィールドの初期値を前記ブリッジのリモートＭＡＣアドレスであると記録する、
請求項５に記載のブリッジ。
【請求項７】
前記第一装置は、モバイルデバイスを含み、前記第二装置は、ゲートウェイを含み、前記ブリッジは、ケーブルモデムを含み、前記ブリッジは、同軸ケーブルによって前記第二装置に接続され、有線又は無線の方式によって前記第一装置と接続される、
請求項１に記載のブリッジ。
【請求項８】
ブリッジに適用され、
第一ネットワークに接続される第一装置の第一パケットを受信して、前記第一パケットの宛先ＩＰアドレスフィールドが前記ブリッジのＩＰアドレスであるか否か判断することと、
前記第一パケットの宛先ＩＰアドレスフィールドが前記ブリッジのＩＰアドレスであるとき、前記第一パケットのソースＩＰアドレスフィールドを前記第一装置のＩＰアドレスから仮想ＩＰアドレスに置換し、置換した前記第一パケットを処理することと、
を含み、
前記第一パケットの宛先ＩＰアドレスフィールドが前記ブリッジのＩＰアドレスではなく、第二装置のＩＰアドレスであるとき、前記第一パケットを第二ネットワークに位置する前記第二装置に転送する、ネットワークの管理方法。
【請求項９】
前記第一パケットの宛先ＩＰアドレスフィールドが前記ブリッジのＩＰアドレスであるとき、前記第一パケットのソースＩＰアドレスフィールドを前記第一装置のＩＰアドレスから仮想ＩＰアドレスに置換するステップは、
前記第一パケットの宛先ＭＡＣアドレスフィールドを前記ブリッジのＭＡＣアドレスに設定することを更に含む、
請求項８に記載の管理方法。
【請求項１０】
前記第一パケットの宛先ＭＡＣアドレスフィールドを前記ブリッジのＭＡＣアドレスに設定するステップは、
前記第一パケットのＭＡＣアドレスフィールドの初期値を前記ブリッジのリモートＭＡＣアドレスであると記録することを含む、
請求項９に記載の管理方法。
【請求項１１】
前記ブリッジは、第二パケットを返送し、前記第二パケットの宛先ＩＰアドレスフィールドを前記仮想ＩＰアドレスから前記第一装置のＩＰアドレスに置換し、前記第二パケットのソースＭＡＣアドレスフィールドが前記ブリッジのＭＡＣアドレスであるか、第二ネットワークの第二装置のＭＡＣアドレスである、
請求項９に記載の管理方法。
【発明の詳細な説明】
【技術分野】
【０００１】
本発明は、ネットワーク管理技術に関し、ブリッジ及びネットワークの管理方法に関する。
【背景技術】
【０００２】
ネットワーク通信の発展とともに、一般的な一つの方式は、ネットワークブリッジによって二つ又は複数の同じ又は異なる形態のネットワークを接続して、ブリッジによって、データパケットをあるネットワークから別のネットワークに伝送させる。しかしながら、ユーザ端末（例えば、パソコン又はサーバー）は、ブリッジが属するネットワークセグメントと異なるネットワークセグメントに属する一つのインターネットプロトコル（ｉｎｔｅｒｎｅｔ  ｐｒｏｔｏｃｏｌ，  ＩＰ）アドレスをすでに有するときには、ブリッジの設定を管理しようとすると、一つのインターネットプロトコル（ｉｎｔｅｒｎｅｔ  ｐｒｏｔｏｃｏｌ，  ＩＰ）アドレス、例えば、プライベートＩＰ（ｐｒｉｖａｔｅ  ＩＰ）を別に設けて、このユーザ端末とブリッジを同じネットワークセグメントにする必要がある。これにより、このユーザ端末は、ブリッジと通信又は操作できる。しかし、特定の場合において、ユーザ端末は、ＩＰアドレスを設定又は変更する権限を有さない可能性があったり、ユーザは、複雑な手順を経て手動で設定する必要があったりして不便である。
【発明の概要】
【発明が解決しようとする課題】
【０００３】
本発明は、異なるネットワークセグメントのホストからのデータパケットの宛先ＩＰアドレスに対する判断メカニズムを有し、データパケットのソースＩＰアドレスをブリッジと同じネットワークセグメントの仮想ＩＰアドレスに置換し、ホストＩＰアドレスが、ブリッジと異なるネットワークセグメントを維持する情況下において、ブリッジを管理する目的を達成し、これによりブリッジの制御又は設定のステップを簡略化できるブリッジ及びネットワークの管理方法を提供する。
【課題を解決するための手段】
【０００４】
本発明のブリッジは、第一ネットワークインターフェースと、ＩＰアドレス制御ユニットと、アプリケーションユニットと、を含む。第一ネットワークインターフェースは、第一ネットワークに接続される第一装置が送信する第一パケットを受信するのに用いられる。ＩＰアドレス制御ユニットは、アドレス判断ユニットと、アドレス置換ユニットと、を含む。アドレス判断ユニットは、第一パケットの宛先ＩＰアドレス（Ｉｎｔｅｒｎｅｔ  Ｐｒｏｔｏｃｏｌ  Ａｄｄｒｅｓｓ，  ＩＰ  Ａｄｄｒｅｓｓ）フィールドがブリッジのＩＰアドレスであるか否かを判断するのに用いられる。アドレス置換ユニットは、第一パケットの宛先ＩＰアドレスフィールドがブリッジのＩＰアドレスであるとき、第一パケットのソースＩＰアドレスフィールドを第一装置のＩＰアドレスから仮想ＩＰアドレス（ｖｉｒｔｕａｌ  ＩＰ  ａｄｄｒｅｓｓ）に置換するのに用いられる。アプリケーションユニットは、ＩＰアドレス制御ユニットから置換した第一パケットを受信して、置換した第一パケットを処理するのに用いられる。
【０００５】
本発明のネットワークの管理方法は、ブリッジに適用され、第一ネットワークに接続される第一装置の第一パケットを受信して、第一パケットの宛先ＩＰアドレスフィールドがブリッジのＩＰアドレスであるか否か判断することと、第一パケットの宛先ＩＰアドレスフィールドがブリッジのＩＰアドレスであるとき、第一パケットのソースＩＰアドレスフィールドを第一装置のＩＰアドレスから仮想ＩＰアドレスに置換し、置換した第一パケットを処理することと、を含む。
【発明の効果】
【０００６】
上述に基づき、本発明のブリッジ及びネットワークの管理方法において、ブリッジがデータパケットの宛先ＩＰアドレスに対する判断メカニズムを有し、ブリッジは、宛先ＩＰアドレスとブリッジが同じであると判断するとき、データパケットのソースＩＰアドレスをブリッジと同じネットワークセグメントの仮想ＩＰアドレスに置換することから、第一装置のＩＰアドレスとブリッジが異なるネットワークセグメントであったとしても、第一装置は依然としてブリッジと直接通信し、管理又は操作できる。これに基づき、本発明のブリッジ及びネットワークの管理方法は、ユーザ操作又はブリッジを管理する方法を簡略化し、ユーザ端末に一組のＩＰアドレスを別に設けたり、ＩＰアドレスを変えたりすることなくブリッジと通信する。
【０００７】
本発明の上述した特徴と利点を更に明確化するために、以下に、実施例を挙げて図面と共に詳細な内容を説明する。
【図面の簡単な説明】
【０００８】
【図１】本発明の実施形態におけるネットワークシステムの概要模式図
【図２】本発明の実施形態におけるブリッジのブロック模式図
【図３】本発明の実施形態におけるネットワークの管理方法のフローチャート
【発明を実施するための形態】
【０００９】
図１は、本発明の実施形態におけるネットワークシステムの概要模式図を図示する。図１を参照すると、ネットワークシステム１００は、第一装置１１０と、第二装置１２０と、ブリッジ１３０と、を含む。第一装置１１０は第一ネットワーク１１２に結合され、第二装置１２０は第二ネットワーク１２２に結合される。ブリッジ１３０は、第一ネットワーク１１２と第二ネットワーク１２２との間に結合される。ここで、第一ネットワーク１１２のネットワークセグメントは、ブリッジ１３０のネットワークセグメントと異なる、即ち、第一装置１１０とブリッジ１３０のＩＰアドレスは、異なるネットワークセグメントに属する。これ以外に、第一ネットワーク１１２と第二ネットワーク１２２は同じネットワークセグメントに属してもよい。
【００１０】
ブリッジ１３０は、一種のネットワークブリッジであり、異なる伝送エンティティを統合することができ、且つ、異なるネットワーク標準を接続させてもよく、例えば、限定しないが、二つのイーサネット（Ｅｔｈｅｒｎｅｔ）を接続する、又はトークンリング（Ｔｏｋｅｎ  Ｒｉｎｇ）ネットワークをイーサネットに接続する。本実施形態において、ブリッジ１３０は、第一ネットワーク１１２の第一装置１１０から送信されたデータパケットを第二ネットワーク１２２の第二装置１２０に転送する（Ｆｏｒｗａｒｄｉｎｇ）。
【００１１】
本実施形態において、ブリッジ１３０は、異なるネットワークセグメントの第一装置１１０が送信する第一パケットを受信し、第一パケットの宛先ＩＰアドレスフィールドのＩＰアドレスとブリッジ１３０自身のＩＰアドレスが同じであるか否か判断し、第一パケットの宛先ＩＰアドレスとブリッジ１３０のＩＰアドレスが同じであるとき、第一パケットのソースＩＰアドレスフィールドを第一装置１１０のＩＰアドレスから仮想ＩＰアドレス（ｖｉｒｔｕａｌ  ＩＰ  ａｄｄｒｅｓｓ）に置換して、第一パケットは、同じネットワークセグメントのホストが送信したものであるとブリッジ１３０に認識させる。ここで、仮想ＩＰアドレスとブリッジ１３０のＩＰアドレスは、同じネットワークセグメントに属する。第一パケットの宛先ＩＰアドレスフィールドがブリッジ１３０のＩＰアドレスではなく、第二装置１２０のＩＰアドレスであるとき、ブリッジ１３０は、第一パケットを第二ネットワーク１２２に位置する第二装置１２０に直接転送する。以下において、本発明の実施形態を詳細に説明する。
【００１２】
本実施形態において、第一装置１１０と第二装置１２０は、エンティティのホストであり、例えば、デスクトップＰＣ（Ｄｅｓｋｔｏｐ）、ノートブックＰＣ（Ｎｏｔｅｂｏｏｋ）、タブレットＰＣ（Ｔａｂｌｅｔ  ＰＣ）、ウルトラモバイルＰＣ（Ｕｌｔｒａ  Ｍｏｂｉｌｅ  ＰＣ，  ＵＭＰＣ）、携帯型情報端末（ＰＤＡ）、スマートフォン（Ｓｍａｒｔ  Ｐｈｏｎｅ）、携帯電話（Ｍｏｂｉｌｅ  Ｐｈｏｎｅ）、携帯型ゲーム機（ＰＳＰ）、ワークステーション（Ｗｏｒｋ  Ｓｔａｔｉｏｎ）、又はサーバー（Ｓｅｒｖｅｒ）等であり、本発明はこれに限定しない。また、第一装置１１０と第二装置１２０のうちの一つは、パケットのルーティング（Ｒｏｕｔｉｎｇ）を実現する機能を有する装置であってもよく、例えば、ルーター（Ｒｏｕｔｅｒ）、ゲートウェイ（Ｇａｔｅｗａｙ）又はケーブルモデム（Ｃａｂｌｅ  Ｍｏｄｅｍ，ＣＭ）装置等であるが、本発明はこれに限定しない。
【００１３】
第一ネットワーク１１２と第二ネットワーク１２２は、有線又は無線ネットワーク又はインターネット（Ｉｎｔｅｒｎｅｔ）であってもよく、本発明はこれに限定せず、例えば、第一ネットワーク１１２と第二ネットワーク１２２のうちの一方は、同軸ケーブル（Ｈｙｂｒｉｄ  ｆｉｂｅｒ−ｃｏａｘｉａｌ，ＨＦＣ）によって伝送媒体とする有線ネットワークであり、第一ネットワーク１１２と第二ネットワーク１２２のうちの他方は、光ファイバ（ｏｐｔｉｃａｌ  ｆｉｂｅｒ）によって伝送媒体とする有線ネットワーク、インターネット又はワイヤレスローカルエリアネットワーク（Ｗｉｒｅｌｅｓｓ  Ｌｏｃａｌ  Ａｒｅａ  Ｎｅｔｗｏｒｋ，ＷＬＡＮ）等である。
【００１４】
実施形態において、第一装置１１０は、例えば、モバイルデバイスであり、第二装置１２０は、例えば、ゲートウェイであり、ブリッジ１３０は、例えば、ケーブルモデムであり、ブリッジ１３０は、同軸ケーブルによって第二装置１２０に接続され、有線又は無線の方式によって第一装置１１０と接続される。
【００１５】
図２は、本発明の実施形態におけるブリッジのブロック模式図を図示する。図３は、本発明の実施形態におけるネットワークの管理方法のフローチャートを図示する。続いて、図１を併せて図２及び図３を参照すると、図３の管理方法は、図１及び図２に示される実施形態に適用でき、以下おいて、本発明の実施形態におけるブリッジ及びネットワークの管理方法の実施方式を更に説明する。
【００１６】
ブリッジ１３０は、第一ネットワークインターフェース１３２と、第二ネットワークインターフェース１３４と、ＩＰアドレス制御ユニット１３６と、アプリケーションユニット１３８と、を含む。アプリケーションユニット１３８は、ＩＰアドレス制御ユニット１３６に結合される。ＩＰアドレス制御ユニット１３６は、アプリケーションユニット１３８、第一ネットワークインターフェース１３２と第二ネットワークインターフェース１３４に結合される。ＩＰアドレス制御ユニット１３６は、アドレス判断ユニット１３６１と、アドレス置換ユニット１３６２と、を含む。ブリッジ１３０は、それぞれ第一ネットワークインターフェース１３２と、第二ネットワークインターフェース１３４と、第一ネットワーク１１２の第一装置１１０と、第二ネットワーク１２２の第二装置１２０と、によってデータ伝送を行う。
【００１７】
第一ネットワークインターフェース１３２と第二ネットワークインターフェース１３４は、例えば、有線又は無線ネットワークインターフェースカードであるが、これに限定しない。第一ネットワークインターフェース１３２と第二ネットワークインターフェース１３４は、それぞれ第一ネットワーク１１２と第二ネットワーク１２２に接続され、第一ネットワーク１１２又は第二ネットワーク１２２においてデータパケットにアクセスする。アプリケーションユニット１３８とＩＰアドレス制御ユニット１３６は、例えば、中央処理装置（Ｃｅｎｔｒａｌ  Ｐｒｏｃｅｓｓｉｎｇ  Ｕｎｉｔ，ＣＰＵ）、マイクロプロセッサ（Ｍｉｃｒｏｐｒｏｃｅｓｓｏｒ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔｓ，ＡＳＩＣ）、プログラム可能論理装置（Ｐｒｏｇｒａｍｍａｂｌｅ  Ｌｏｇｉｃ  Ｄｅｖｉｃｅ，ＰＬＤ）又はその他の演算能力を備えるハードウェア装置又は上記装置の組み合わせであってもよいが、本発明はこれに限定しない。アドレス判断ユニット１３６１とアドレス置換ユニット１３６２は、ソフトウェア又はハードウェアによって実施されてもよく、例えば、回路の方式で実行する、又はＩＰアドレス制御ユニット１３６がプロセッサであるときにアドレス判断コマンドとアドレス置換コマンドを実行して機能を実行する。アプリケーションユニット１３８は、アプリケーションプログラムを実行して、第一ネットワーク１１２と第二ネットワーク１２２のブリッジ機能を提供するのに用いられ、上記アプリケーションプログラムは、例えば、ブリッジ管理システム、ブリッジ通信プロトコル等の上位アプリケーションソフトウェアである。ＩＰアドレス制御ユニット１３６は、第一ネットワークインターフェース１３２又は第二ネットワークインターフェース１３４によって、データパケットを受信又は伝送し、受信したフレーム（ｆｒａｍｅ）又はデータパケットの宛先ＩＰアドレス、宛先ＭＡＣアドレス等を分析し、ブリッジ１３０のポートステート（ｐｏｒｔ  ｓｔａｔｅ）に基づき、上記データパケットをフィルタリング（ｆｉｌｔｅｒｉｎｇ）または転送する（ｆｏｒｗａｒｄｉｎｇ）か否かを決定する。
【００１８】
まず、ステップＳ２０２から開始し、第一装置１１０は、第一パケットをブリッジ１３０に送信する。次いで、ステップＳ２０４において、ＩＰアドレス制御ユニット１３６は、第一ネットワークインターフェース１３２によって第一装置１１０が送信した第一パケットを受信する。次いで、ステップＳ２０６において、ＩＰアドレス制御ユニット１３６は、ＩＰアドレス制御ユニット１３６のアドレス判断ユニット１３６１によって第一パケットの宛先ＩＰアドレスフィールドのＩＰアドレスがブリッジ１３０のＩＰアドレスであるか否か判断する、フローは、アドレス判断ユニット１３６１が第一パケットの宛先ＩＰアドレスとブリッジ１３０のＩＰアドレスが同じであると判断するときにはステップＳ２０８に進み、これと反対のときには、ステップＳ２１８に進む。
【００１９】
ステップＳ２０８において、ＩＰアドレス制御ユニット１３６は、第一パケットのソースＩＰアドレスを記録して、ブリッジ１３０のクライアントＩＰアドレスとする（Ｃｌｉｅｎｔ  ＩＰ  ａｄｄｒｅｓｓ）。詳細には、ＩＰアドレス制御ユニット１３６は、第一パケットのソースＩＰアドレスフィールドが第一装置１１０のＩＰアドレスであると記録するだけではなく、第一パケットの宛先ＭＡＣ（Ｍｅｄｉａ  Ａｃｃｅｓｓ  Ｃｏｎｔｒｏｌ，  ＭＡＣ）アドレスフィールドの初期値がブリッジ１３０のリモートＭＡＣ（Ｒｅｍｏｔｅ  ＭＡＣ）アドレスであると別に記録することもできる。説明が必要なこととして、他の実施形態において、ＩＰアドレス制御ユニット１３６は、第一パケットの宛先ＭＡＣアドレスを記録するステップを省略してもよい。
【００２０】
次いで、ステップＳ２１０において、アドレス置換ユニット１３６２は、第一パケットのソースＩＰアドレスフィールドを第一装置１１０のＩＰアドレスから仮想ＩＰアドレス（ｖｉｒｔｕａｌ  ＩＰ  ａｄｄｒｅｓｓ）に置換する。ここで、置換に用いられる仮想ＩＰアドレスとブリッジ１３０のＩＰアドレスは、同じネットワークセグメントに属する。これ以外に、アドレス置換ユニット１３６２は、併せて、第一パケットの宛先ＭＡＣアドレスフィールドをブリッジ１３０のＭＡＣアドレスに設定することもできる。
【００２１】
次いで、ステップＳ２１２において、第一パケットのソースＩＰアドレスと宛先ＭＡＣアドレスがブリッジ１３０と同じネットワークセグメントの仮想ＩＰアドレスとブリッジ１３０のＭＡＣアドレスに設定された後、ＩＰアドレス制御ユニット１３６は、第一パケットをアプリケーションユニット１３８に伝送し、アプリケーションユニット１３８は、ＩＰアドレス制御ユニット１３６から置換された第一パケットを受信し、置換された第一パケットを処理する。このとき、第一パケットのソースＩＰは、ブリッジ１３０のネットワークセグメントと同じＩＰアドレスに変換されていることから、ブリッジ１３０と直接通信でき、アプリケーションユニット１３８は、第一パケット内のデータに基づき操作できる。これにより、本実施形態の第一装置１１０は、ブリッジ１３０の管理を実施できる。
【００２２】
ステップＳ２１４において、アプリケーションユニット１３８は、第二パケットを返送する。第二パケットは、ＩＰアドレス制御ユニット１３６に送信される。ここで、注意すべきこととして、アプリケーションユニット１３８が送信する第二パケットの宛先ＩＰアドレスは、ステップＳ２１０の仮想ＩＰアドレスである。アプリケーションユニット１３８からすると、第一パケットを送信するホストとブリッジ１３０は、同じネットワークセグメントに属すると認識されることから、第二パケットの宛先ＩＰアドレスは、仮想ＩＰアドレスであり、第二パケットの宛先ＭＡＣアドレスは、例えば、第一装置１１０のＭＡＣアドレスである。アドレス置換ユニット１３６２は、第二パケットを受信した後、第二パケットの宛先ＩＰアドレスフィールドをクライアントＩＰアドレスに変換する、即ち、第二パケットの宛先ＩＰアドレスフィールドを仮想ＩＰアドレスから第一装置１１０のＩＰアドレスに置換する。
【００２３】
それから、ステップＳ２１６において、ＩＰアドレス制御ユニット１３６は、第一ネットワークインターフェース１３２によって第二パケットを第一装置１１０に返送してステップＳ２２０に入り、今回の通信を完了させる。
【００２４】
アドレス判断ユニット１３６１は、第一パケットの宛先ＩＰフィールドがブリッジ１３０のＩＰアドレスではなく、第二装置１２０のＩＰアドレスであると判断するときには、ステップＳ２１８を実行し、ＩＰアドレス制御ユニット１３６は、第二ネットワークインターフェース１３４によって、第一パケットを第二装置１２０に転送する。
【００２５】
以上より、本発明のブリッジ及びネットワークの管理方法において、ブリッジと異なるネットワークセグメントに属する第一装置は第一パケットをブリッジに送信し、ブリッジは、第一パケットの宛先ＩＰアドレスとブリッジが同じであるか否か判断し、同じである場合、ブリッジは、第一パケットのソースＩＰアドレスと宛先ＭＡＣアドレスをそれぞれブリッジと同じネットワークセグメントの仮想ＩＰアドレスとブリッジのＭＡＣアドレスに置換することで、ブリッジのアプリケーションユニットは、置換した第一パケットに基づき設定して、ブリッジは第二パケットを第一装置に返送して、第一装置との通信を完了させる。ブリッジが第一パケットのソースＩＰアドレスと宛先ＭＡＣアドレスを自動変換することで、本発明のブリッジ及びネットワークの管理方法は、ユーザ操作又はブリッジを管理するフローを簡略化する。
【００２６】
本文は以上の実施例のように示したが、本発明を限定するためのものではなく、当業者が本発明の精神の範囲から逸脱しない範囲において、変更又は修正することが可能であるが故に、本発明の保護範囲は後続の特許請求の範囲に定義しているものを基準とする。
【産業上の利用可能性】
【００２７】
本発明は、ユーザ操作又はブリッジを管理するフローを簡略化するブリッジ及びネットワークの管理方法を提供する。
【符号の説明】
【００２８】
１００：ネットワークシステム
１１０：第一装置
１１２：第一ネットワーク
１２０：第二装置
１２２：第二ネットワーク
１３０：ブリッジ
１３２：第一ネットワークインターフェース
１３４：第二ネットワークインターフェース
１３６：ＩＰアドレス制御ユニット
１３６１：アドレス判断ユニット
１３６２：アドレス置換ユニット
１３８：アプリケーションユニット
Ｓ２０２〜Ｓ２２０：ネットワーク管理方法のステップ
【図１】
0006975736.tif 000002
【図２】
0006975736.tif 000003
【図３】
0006975736.tif 000004